(57)【要約】【課題】本発明は、本発明は、トナー残量が少ない場合でも残トナーを使い切るための印刷の続行が可能となる一方、トナー残量が十分であることが検知できるまでＦＡＸ受信印刷を一時停止させたいというユーザーの要望にも応えることができる画像処理装置を提供する。【解決手段】トナー残量検知部３２１により検知されたトナー残量が閾値以下の場合に、ＦＡＸ受信した画像情報の印刷を停止するか継続するかの設定を受け付ける。トナー残量が閾値以下のときは、印刷が実行される前に、予め設定された設定内容に応じて画像情報の印刷の停止または継続を判定する。検品装置５０５は、画像情報の印刷の継続と判定された場合、画像情報が印刷された記録媒体の画像品質検査を行う。排出装置５０６が、この画像品質検査により正常印刷と判断された記録媒体と不良印刷と判断された記録媒体とに分けて所定の排出トレイに排出する。【選択図】図３
2015216417.tif 000002
【特許請求の範囲】
【請求項１】
通信手段と、前記通信手段により受信した画像情報を記録媒体に印刷する印刷手段と、前記印刷手段が前記画像情報を前記記録媒体に印刷するために用いる記録材料の残量を検知する検知手段とを備える画像処理装置において、
前記検知手段により検知された前記記録材料の残量が閾値以下の場合に、前記通信手段により受信した画像情報の印刷を停止するか継続するかの設定を受け付ける設定手段と、
前記記録材料の残量が閾値以下のときは、前記印刷手段による印刷が実行される前に、前記設定手段による設定に応じて前記画像情報の印刷の停止または継続を判定する判定手段と、
前記判定手段により前記画像情報の印刷の継続と判定された場合には、前記印刷手段により印刷された記録媒体の画像品質検査を行う画像品質検査手段と、
前記画像品質検査手段により正常印刷と判断された記録媒体と不良印刷と判断された記録媒体とに分けて排出する排出手段とを備えることを特徴とする画像処理装置。
【請求項２】
前記印刷手段により印刷された記録媒体の画像読み取りを行う画像読取手段をさらに備え、
前記画像品質検査手段は、
前記通信手段により受信した画像情報から画像品質検査用のリファレンス画像を生成する生成手段と、
前記生成手段により生成されたリファレンス画像と前記画像読取手段により得られたスキャン画像とを比較する比較手段とを備え、
前記判定手段により前記画像情報の印刷の継続と判定された場合には、前記印刷手段による印刷が実行された後、前記生成されたリファレンス画像と前記スキャン画像とを前記比較手段により比較して、正常印刷または不良印刷と判断することを特徴とする請求項１に記載の画像処理装置。
【請求項３】
前記判定手段により前記画像情報の印刷の停止と判定された場合には、前記印刷手段による印刷が実行されることなく、ユーザーに警告を通知する通知手段をさらに備えることを特徴とする請求項１または２に記載の画像処理装置。
【請求項４】
前記設定手段は、正常印刷と判断された記録媒体が排出される第１の排出トレイと、不良印刷と判断された記録媒体が排出される第２の排出トレイの選択を受け付けることができ、
前記排出手段は、前記設定手段による設定に応じて、正常印刷と判断された記録媒体と不良印刷と判断された記録媒体を前記第１の排出トレイと前記第２の排出トレイとに分けて排出することを特徴とする請求項１乃至３のいずれか１項に記載の画像処理装置。
【請求項５】
前記画像品質検査手段による結果を表示して記憶手段に保存することを特徴とする請求項１乃至４のいずれか１項に記載の画像処理装置。
【請求項６】
不良印刷と判断された記録媒体に対して印刷が不良であることを示すスタンプを押下するスタンプ手段をさらに備えることを特徴とする請求項１乃至５のいずれか１項に記載の画像処理装置。
【請求項７】
不良印刷と判断された記録媒体の再印刷ができるように、前記通信手段により受信した画像情報を記憶手段から消去しないことを特徴とする請求項１乃至６のいずれか１項に記載の画像処理装置。
【請求項８】
受信側からファクシミリプロトコルのＮＳＦで画像品質検査機能有りを宣言し、送信側から前記画像品質検査機能有りを検出すると、当該送信側からファクシミリプロトコルのＮＳＳで画像情報の受信と画像品質検査の実施が指示された場合、前記画像品質検査手段は、前記印刷手段が印刷を実行する前に、前記検知手段が前記記録材料の残量が十分であることを検知したときでも、受信側で画像情報を印刷した記録媒体の画像品質検査を行うことを特徴とする請求項１乃至７のいずれか１項に記載の画像処理装置。
【請求項９】
受信側からファクシミリプロトコルのＮＳＦ（Ｎｏｎ−Ｓｔａｎｄａｒｄ  Ｆａｃｉｌｉｔｉｅｓ）で画像品質検査機能有りを宣言し、送信側で画像品質検査機能有りを検出すると、当該送信側からファクシミリプロトコルのＮＳＳ（Ｎｏｎ−Ｓｔａｎｄａｒｄ  ｆａｃｉｌｉｔｉｅｓ  Ｓｅｔｕｐ）で画像情報の受信と画像品質検査の実施と画像品質検査の結果の返信と返信宛先と返信方法が指示された場合、前記通信手段は、前記印刷手段が印刷を実行する前に、前記検知手段が前記記録材料の残量が十分であることを検知したときでも、前記画像品質検査手段が画像品質検査を行い、その結果を送信側へ前記ＮＳＳで指定された返信方法にて返信することを特徴とする請求項１乃至７のいずれか１項に記載の画像処理装置。
【請求項１０】
前記印刷手段は、電子写真方式によりトナーである記録材料を用紙である記録媒体に印刷することを特徴とする請求項１乃至９のいずれか１項に記載の画像処理装置。
【請求項１１】
前記印刷手段は、インクジェット方式によりインクである記録材料を用紙である記録媒体に印刷することを特徴とする請求項１乃至９のいずれか１項に記載の画像処理装置。
【請求項１２】
通信手段と、前記通信手段により受信した画像情報を記録媒体に印刷する印刷手段と、前記印刷手段が前記画像情報を前記記録媒体に印刷するために用いる記録材料の残量を検知する検知手段とを備える画像処理装置の制御方法において、
前記検知手段により検知された前記記録材料の残量が閾値以下の場合に、前記通信手段により受信した画像情報の印刷を停止するか継続するかの設定を受け付ける設定工程と、
前記記録材料の残量が閾値以下のときは、前記印刷手段による印刷が実行される前に、前記設定工程による設定に応じて前記画像情報の印刷の停止または継続を判定する判定工程と、
前記判定工程にて前記画像情報の印刷の継続と判定された場合には、前記印刷手段により印刷された記録媒体の画像品質検査を行う画像品質検査工程と、
前記画像品質検査工程にて正常印刷と判断された記録媒体と不良印刷と判断された記録媒体とに分けて排出する排出工程とを備えることを特徴とする制御方法。
【請求項１３】
請求項１２に記載の制御方法を画像処理装置に実行させるためのコンピュータに読み取り可能なプログラム。
【発明の詳細な説明】
【技術分野】
【０００１】
本発明は、画像処理装置およびその制御方法、並びにプログラムに関し、特に、用紙等の記録媒体に印刷されたファクシミリ受信画像の品質の検査技術に関する。
【背景技術】
【０００２】
オフセット印刷機による大規模印刷を利用せずに電子写真技術等に基づく画像処理装置を利用し、必要な時に必要な量の印刷物を生産するプリントオンデマンド（以後「ＰＯＤ」とも呼ぶ）と呼ばれる印刷手法がある。従来、ＰＯＤの印刷出力物の画像品質の検査は、印刷出力物を作業者が目視によって確認することが一般的である。このため、作業者による熟練度で検査時間が左右され、熟練度を上げても検査時間の短縮には限界がある。
【０００３】
そこで近年、印刷データと印刷物を比較して画像品質検査を行う装置が考案されている。例えば、印刷物の画像を読み取り、その画像データと印刷データを比較することにより、印字ミスを検出する装置が提案されている（特許文献１参照）。
【０００４】
また、印刷装置で出力された印刷物の記録媒体上における画像の印字位置を検出し、その検出結果に基づいて検品処理の高速化及び精度の向上を図る手法が提案されている（特許文献２参照）。また、エラーの際に処理動作を停止することなく、印字ミスした紙を別トレイなどに排出することにより除去する装置が提案されている（特許文献３参照）。
【０００５】
ＰＯＤを行う画像処理装置としてはデジタル複合機が利用されており、デジタル複合機の多機能化に伴ってファクシミリ（以後、「ＦＡＸ」とも呼ぶ）機能が付加されることも当然考えられる。
【０００６】
ＦＡＸ受信画像の画像品質検査（以後、単に「検品」とも呼ぶ）は、現状実施されていないが、この検品機能が安価になれば、ＦＡＸ機能を有するデジタル複合機に検品機能が付加されることも当然考えられる。
【先行技術文献】
【特許文献】
【０００７】
【特許文献１】特開２００７−２５７５３９号公報
【特許文献２】特開２００８−５２１１５号公報
【特許文献３】特開２００８−１４２９３８号公報
【発明の概要】
【発明が解決しようとする課題】
【０００８】
従来、ＦＡＸ機能を有する画像処理装置には、電子写真技術を利用したプリントエンジンを搭載し、トナー残量検知部を有するものがある。このような画像処理装置では、トナー不足により印刷画像がかすれたり、欠落する恐れがあるので、トナー残量検知部によりトナー量が少ないことを検知すると、ＦＡＸ受信した画像データの印刷を一時停止させる。そして、画像処理装置内のメモリに一時的にＦＡＸ受信した画像データを保存しておき、トナーを補充するか、トナーカートリッジを交換し、トナー残量が十分であることを検知すると、一時停止していたＦＡＸ受信画像の印刷を再開する。さらに、ＦＡＸ受信画像を印刷した後に、記憶容量を確保するためにＦＡＸ受信した画像データをメモリから削除する仕様がある。
【０００９】
トナー残量検知部によりトナー残量が少ないと検知された場合、トナーを補充するか、トナーカートリッジを交換するまで、ＦＡＸ受信画像が印刷できないものがある。このような仕様でも残トナーを使い切るために印刷を継続したいのだが、トナー不足で印刷画像のかすれや欠落が発生しても受信側ユーザーの手元には送信原稿が無いため、気付かないという課題がある。
【００１０】
また、トナー残量が少ないときでも印刷画像のかすれや欠落が発生する可能性を低くしたいので、トナー残量が十分であることが検知できるまでＦＡＸ受信印刷を一時停止させてほしいというユーザーの要望がある。
【００１１】
さらに、ＦＡＸ機能と検品機能が搭載された画像処理装置を使用するユーザーは、ＦＡＸ受信した画像データが正しくても、印刷したＦＡＸ受信画像が正しく無い場合を区別して分かるようにしたいという要望がある。
【００１２】
さらに、受信側の画像処理装置に検品機能が搭載されていた場合、ＦＡＸ受信した画像データと印刷したＦＡＸ受信画像の検品を行った結果を送信側で確認したいという要望がある。
【００１３】
本発明は、トナー残量が少ない場合でも残トナーを使い切るための印刷の続行が可能となる一方、トナー残量が十分であることが検知できるまでＦＡＸ受信印刷を一時停止させたいというユーザーの要望にも応えることができる技術を提供する。
【課題を解決するための手段】
【００１４】
上記目的を達成するために、本発明の画像処理装置は、通信手段と、前記通信手段により受信した画像情報を記録媒体に印刷する印刷手段と、前記印刷手段が前記画像情報を前記記録媒体に印刷するために用いる記録材料の残量を検知する検知手段とを備える画像処理装置において、前記検知手段により検知された前記記録材料の残量が閾値以下の場合に、前記通信手段により受信した画像情報の印刷を停止するか継続するかの設定を受け付ける設定手段と、前記記録材料の残量が閾値以下のときは、前記印刷手段による印刷が実行される前に、前記設定手段による設定に応じて前記画像情報の印刷の停止または継続を判定する判定手段と、前記判定手段により前記画像情報の印刷の継続と判定された場合には、前記印刷手段により印刷された記録媒体の画像品質検査を行う画像品質検査手段と、前記画像品質検査手段により正常印刷と判断された記録媒体と不良印刷と判断された記録媒体とに分けて排出する排出手段とを備えることを特徴とする。
【発明の効果】
【００１５】
本発明によれば、トナー残量が少ない場合でも残トナーを使い切るための印刷の続行が可能となる一方、トナー残量が十分であることが検知できるまでＦＡＸ受信印刷を一時停止させたいというユーザーの要望にも応えることができる。  
【図面の簡単な説明】
【００１６】
【図１】本発明の第１の実施形態に係る画像処理装置のハードウェア構成を示すブロック図である。
【図２】図１の画像処理装置に連結される検品装置と排出装置のハードウェア構成を示すブロック図である。
【図３】図１の画像処理システムにおけるＦＡＸ受信時の動作処理を示すフローチャートである。
【図４】第２の実施の形態における画像処理システムにおけるＦＡＸ受信時の動作処理を示すフローチャートである。
【図５】ＵＩに表示されるＦＡＸ受信時の印刷設定画面の一例を示す図であり、（ａ）トナー残量が少ないときのＦＡＸ受信印刷停止設定画面、（ｂ）排出トレイの設定画面、（ｃ）ユーザーへの警告メッセージ画面である。
【図６】ＵＩに表示されるＦＡＸ受信時の印刷設定画面の一例を示す図であり、（ａ）正常印刷と判断された記録媒体の排出トレイの設定画面、（ｂ）不良印刷と判断された記録媒体の排出トレイの設定画面である。
【発明を実施するための形態】
【００１７】
以下、本発明の実施の形態を図面を参照して詳細に説明する。
【００１８】
［第１の実施形態］
図１は、本発明の第１の実施形態に係る画像処理装置のハードウェア構成を示すブロック図である。
【００１９】
画像処理装置５０１は、当該画像処理装置５０１の後段に連結された検品装置５０５、排出装置５０６と共に、画像処理システムを構成する。本実施形態では、画像処理装置５０１、検品装置５０５、および排出装置５０６が別個独立した装置とする場合について説明するが、これらが一体に構成されていてもよい。
【００２０】
画像処理装置５０１は、ＰＳＴＮ（Ｐｕｂｌｉｃ  Ｓｗｉｔｃｈｅｄ  Ｔｅｌｅｐｈｏｎｅ  Ｎｅｔｗｏｒｋ）５０３に接続し、ＰＳＴＮ５０３経由でファクシミリ（ＦＡＸ）装置５０４との間でＦＡＸ通信が可能である。また、画像処理装置５０１は、ＬＡＮ（Ｌｏｃａｌ  Ａｒｅａ  Ｎｅｔｗｏｒｋ）５０２に接続し、ＬＡＮ５０２経由でＰＣ（Ｐｅｒｓｏｎａｌ  Ｃｏｍｐｕｔｅｒ）５０７、不図示のサーバーや複合機との間でネットワーク通信が可能である。
【００２１】
さらに、画像処理装置５０１は、当該画像処理装置５０１で記録媒体（用紙等）に印刷された画像の品質検査を行うための検品装置５０５に接続されている。検品装置５０５は、当該検品装置５０５から排出された記録媒体を所定のトレイに分けて排紙する排出装置５０６に接続されている。
【００２２】
画像処理装置５０１において、ＣＰＵ（中央制御装置）３０２は、画像処理装置５０１の制御プログラムをＲＯＭ３０４やＨＤＤ３０６から読み出してＲＡＭ３０５に展開して実行し装置全体の制御を行う。
【００２３】
ＲＯＭ（Ｒｅａｄ  Ｏｎｌｙ  Ｍｅｍｏｒｙ）３０４は、フラッシュメモリ等から成り、装置のブートプログラムや固定パラメータ等が格納されている。ＲＡＭ（Ｒａｎｄｏｍ  Ａｃｃｅｓｓ  Ｍｅｍｏｒｙ）３０５は、ＣＰＵ３０２が画像処理装置５０１を制御する際に、一時的な作業データやＦＡＸ受信した画像データ、印刷データ等の格納などに使用される。
【００２４】
ＨＤＤ（Ｈａｒｄ  Ｄｉｓｃ  Ｄｒｉｖｅ）３０６は、ＦＡＸやＰＤＬ（Ｐａｇｅ  Ｄｅｓｃｒｉｐｔｉｏｎ  Ｌａｎｇｕａｇｅ）やスキャン画像データ、ＦＡＸ受信した画像データの格納、装置の設定パラメータなどの様々なデータの格納に使用される。ＲＡＭ３０５およびＨＤＤ３０６は、ＣＰＵ３０２が画像データの画像処理や符号化復号化や解像度変換の作業を行う作業領域としても使用される。
【００２５】
ＵＩ制御部３１３は、ユーザーインターフェース（ＵＩ）３１４を制御し、各種情報の表示、ユーザーからの指示入力を行う。画像処理装置５０１では、ＵＩ３１４からユーザーがＦＡＸ、コピー、スキャン等の指示を行うことが可能である。
【００２６】
プリンタＩ／Ｆ３１５は、プリンタ部３１６を制御するインターフェースである。
【００２７】
プリンタ部３１６は、電子写真方式によりトナー等の記録材料を用紙等の記録媒体に定着させる方式を用いて印刷を行う印刷部である。なお、プリンタ部３１６は、インクを用紙に噴射して定着させるインクジェット方式を用いた印刷部であってもよいし、これらの方式に限定されるものではない。
【００２８】
また、プリンタ部３１６は、トナー残量の検知を行うトナー残量検知部３２１を備える。トナー残量の検知方法は、不図示のトナー容器の静電容量の変化で検知する方法であるが、他の方法であってもよい。なお、プリンタ部３１６がインクジェット方式の場合には、インク残量を光学的に測定して検知する方法であってもよいし、他の方法であってもよい。
【００２９】
スキャナＩ／Ｆ３１７は、スキャナ部３１８を制御するインターフェースである。スキャナ部３１８は、光源から原稿に光を照射した反射光をＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  ＭＯＳ）により原稿を光学的に読み取る画像読取部である。
【００３０】
ネットワークＩ／Ｆ３１９は、ＬＡＮ５０２とのデータの送受信を制御し、ＴＣＰ（Ｔｒａｎｓｍｉｓｓｉｏｎ  Ｃｏｎｔｒｏｌ  Ｐｒｏｔｏｃｏｌ）やＵＤＰ（Ｕｓｅｒ  Ｄａｔａｇｒａｍ  Ｐｒｏｔｏｃｏｌ）などのＩＰパケットの解析や生成を行う。ＩＰ（Ｉｎｔｅｒｎｅｔ  Ｐｒｏｔｏｃｏｌ）パケットの送受信により送信あるいは受信するデータは、一旦ＲＡＭ３０５やＨＤＤ３０６に保存された後、ＣＰＵ３０２で解釈してプロトコル規定に従って処理される。
【００３１】
ＲＩＰ（Ｒａｓｔｅｒ  Ｉｍａｇｅ  Ｐｒｏｃｅｓｓｏｒ）部３１２は、ＰＤＬ（Ｐａｇｅ  Ｄｅｓｃｒｉｐｔｉｏｎ  Ｌａｎｇｕａｇｅ）をプリンタ部３１６で印刷できるラスターイメージに変換するプロセッサである。なお、ＲＩＰ部３１２は、ＣＰＵの高速化によりソフトウェアで実現してもよい。
【００３２】
画像処理部３２０は、解像度変換や符号化復号化や高画質化の画像処理を実施する部分である。
【００３３】
外部Ｉ／Ｆ３０１は、画像処理装置５０１に接続する外部機器（例えば、検品装置５０５や排出装置５０６）とデータや指示や応答の送受を行う部分である。この外部Ｉ／Ｆ３０１には、ＵＳＢ、ＬＡＮ、ＰＣＩ等を含め、伝送するデータ量に必要な帯域を有する伝送手段であればどのような規格が使用されてもよい。
【００３４】
バス３１１は、ＣＰＵ３０２からの制御信号や各装置間のデータ信号が送受信されるシステムバスであり、図示の各部を互いに接続する。
【００３５】
ＦＡＸ装置５０４は、Ｇ３のＩＴＵ−Ｔ勧告Ｔ．３０の音声通信に対応した端末を想定している。ＩＴＵ−Ｔは、Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒの略である。
【００３６】
なお、ＦＡＸ装置５０４は、ＰＳＴＮに代えて、ＩＳＤＮ（Ｉｎｔｅｇｒａｔｅｄ  Ｓｅｒｖｉｃｅ  Ｄｉｇｉｔａｌ  Ｎｅｔｗｏｒｋ）を経由するＧ４ＦＡＸに対応する端末であっても構わない。また、ＦＡＸ装置５０４は、ＰＳＴＮに代えて、ＮＧＮ（Ｎｅｘｔ  Ｇｅｎｅｒａｔｉｏｎ  Ｎｅｔｗｏｒｋ）と呼ばれる次世代ＩＰ網や従来のＩＰ（Ｉｎｔｅｒｎｅｔ  Ｐｒｏｔｏｃｏｌ）網を経由するＴ．３８で通信する端末であっても構わない。また、ＮＧＮやＩＰ網やＰＳＴＮ同士がゲートウェイで接続され、複数の網を経由しても構わない。さらに、網と画像処理装置５０１との間にＶｏＩＰ（Ｖｏｉｃｅ  ｏｖｅｒ  Ｉｎｔｅｒｎｅｔ  Ｐｒｏｔｏｃｏｌ）アダプタが接続され、ＶｏＩＰでみなし音声によるＴ．３０のＦＡＸ通信を行う形態であっても構わない。
【００３７】
次に、画像処理装置５０１がＧ３のＩＴＵ−Ｔ勧告Ｔ．３０でＦＡＸ装置５０４にＦＡＸ送信するときの動作について説明する。
【００３８】
ユーザーがスキャナ部３１８に原稿を載置してＵＩ３１４に送信指示を行ったことをＣＰＵ３０２が検出すると、ＦＡＸ送信処理が開始される。
【００３９】
ＣＰＵ３０２は、スキャナ部３１８でスキャンした画像データをスキャナＩ／Ｆ３１７でＡ／Ｄ変換し、シェーディング補正等を行った後、画像処理部３２０で解像度変換し、ＭＨ，ＭＲ，ＭＭＲ，ＪＢＩＧ等の符号化データに変換する。そして、ＲＡＭ３０５に保存するよう制御する。
【００４０】
ＦＡＸ＿Ｉ／Ｆ３０７は、ＰＳＴＮ５０３に対してＦＡＸ装置５０４への呼接続処理を行い、相手機のＦＡＸ装置５０４が応答すると呼接続が完了する。また、ＦＡＸ＿Ｉ／Ｆ３０７は、バス３１１経由でＲＡＭ３０５から伝送された符号化されたデジタルの画像データを変調して音声信号に変換し、ＰＳＴＮ５０３経由で相手機のＦＡＸ装置５０４に送出する。そして、ＦＡＸ装置５０４が受信及び印刷処理を行う。
【００４１】
次に、画像処理装置５０１がＦＡＸ装置５０４からＦＡＸ受信するときの動作について説明する。
【００４２】
ＰＳＴＮ５０３からＦＡＸ＿Ｉ／Ｆ３０７へ呼び出し信号が到達し、それを検出したことをＣＰＵ３０２が検出すると、ＦＡＸ＿Ｉ／Ｆ３０７を制御してＰＳＴＮ５０３経由でＦＡＸ装置５０４との呼接続を行う。そして、ＦＡＸ装置５０４から送出された音声信号は、ＰＳＴＮ５０３を経由して画像処理装置５０１に送出される。この音声信号をＦＡＸ＿Ｉ／Ｆ３０７で復調して、ＭＨ，ＭＲ，ＭＭＲ，ＪＢＩＧ等の符号化されたデジタル画像データをＣＰＵ３０２あるいは画像処理部３２０で生の画像データに復号化し、生の画像データとしてＲＡＭ３０５またはＨＤＤ３０６に保存される。
【００４３】
ＲＡＭ３０５等に保存された生の画像データは、ＦＡＸ伝送時に指定された解像度が標準だと８×３．８５画素／ｍｍ、ファインだと８×７．７画素／ｍｍ、スーパーファインだと８×１５．４画素／ｍｍ、ウルトラファインだと１６×１５．４画素／ｍｍである。また、インチ系で指定された場合、解像度は２００×１００ｄｐｉ，２００×２００ｄｐｉ，２００×４００ｄｐｉ，４００×４００ｄｐｉ，６００×６００ｄｐｉあるいはその他拡張された画素密度となる。
【００４４】
ＲＡＭ３０５等に保存された生の画像データは、画像処理部３２０でプリンタ解像度（例えば６００×６００ｄｐｉ）に合わせて解像度変換され、プリンタＩ／Ｆ３１５へ送られ、プリンタ部３１６で記録媒体に印刷される。記録媒体は、通常、Ａ４やＡ３サイズの普通紙が用いられる。ＦＡＸで伝送される１ページ分の画像データは、記録媒体の１ページに収まるように画像処理部３２０で解像度変換される。なお、画像処理装置５０１がＴ．３８やＧ４でＦＡＸ通信を行うときの動作については、ＦＡＸ＿Ｉ／Ｆ３０７の動作が変化するだけであり、それらの説明は省略する。
【００４５】
次に、検品装置５０５および排出装置５０６の内部構成を図２を参照して説明する。
【００４６】
図２は、図１の画像処理装置５０１に連結される検品装置５０５と排出装置５０６のハードウェア構成を示すブロック図である。
【００４７】
図２において、検品装置５０５には、検品対象の記録媒体が搬送される記録媒体搬送部３２２、記録媒体の表面を光学的に読み取るスキャナ部Ａ３２３、記録媒体の裏面を光学的に読み取るスキャナ部Ｂ３２４、検品実行ユニット３０３が内蔵されている。なお、検品実行ユニット３０３は、内蔵せずに検品装置５０５の外部に接続されたＰＣを用いてもよい。
【００４８】
記録媒体搬送部３２２には、記録媒体を適正なタイミングや精度でスキャナ部Ａ３２３及びスキャナ部Ｂ３２４に搬送するための機構が内蔵されている。なお、裏面用のスキャナ部Ｂ３２４と表面用のスキャナ部Ａ３２３により両面印刷された印刷物の裏面と表面の検品を同時に行うことも可能であるが、本実施形態では片面印刷された記録媒体の検品について説明する。
【００４９】
検品実行ユニット３０３は、外部Ｉ／Ｆ３２５、検品制御部３２６、スキャナＩ／Ｆ３２７、バス３２８、比較判定制御部３２９、スキャン画像保存部３３０、およびリファレンス画像保存部３３１から構成される。バス３２８は、これら各部を互いに接続し、データや命令や応答を伝送する。
【００５０】
検品制御部３２６は、図示しないＣＰＵ、ＲＡＭ、ＲＯＭで構成され、ＲＯＭから制御プログラムを読みだし、ＲＡＭ上で実行し、検品装置５０５の制御を行う。
【００５１】
スキャナＩ／Ｆ３２７では、スキャナ部Ａ３２３およびスキャナ部Ｂ３２４を制御する。スキャナ部Ａ３２３およびスキャナ部Ｂ３２４で読み取られた画像は、スキャナＩ／Ｆ３２７にてＡ／Ｄ変換、シェーディング補正、その他必要な画像処理が行われた後、スキャン画像保存部３３０に伝送され、画像データとして保存される。なお。画像読取時の傾き補正等の画像処理も画像処理部３０８で実行される。
【００５２】
外部Ｉ／Ｆ３２５は、画像処理装置５０１や排出装置５０６と接続するためのインターフェースであり、データや命令や応答を伝送する。また、外部Ｉ／Ｆ３２５は、画像処理装置５０１のＲＡＭ３０５またはＨＤＤ３０６に保存されたリファレンス画像データを受信することを行う。受信されたリファレンス画像データはリファレンス画像保存部３３１に保存される。リファレンス画像データは、記録媒体から読み取った画像データと比較するためのものである。
【００５３】
比較判定制御部３２９は、スキャン画像保存部３３０に保存されている画像データとリファレンス画像保存部３３１に保存されているリファレンス画像データを比較し、記録媒体に印刷された印刷画像にかすれや欠落等の不良が有るか無いかを判定する。この判定のことを画像品質検査あるいは検品と呼ぶ。この判定のアルゴリズムや判定の閾値は必要に応じて任意に変更が可能であるが、処理内容自体は公知であるため、その詳細な説明については省略する。そして、印刷が正常印刷か不良印刷かを示す検品結果は、比較判定制御部３２９から外部Ｉ／Ｆ３２５経由で画像処理装置５０１のＣＰＵ３０２や排出装置５０６に通知される。
【００５４】
排出装置５０６は、記録媒体排出部３３３と記録媒体排出制御部３３２とで構成される。
【００５５】
記録媒体排出部３３３は排出に必要な機構と正常記録媒体排出トレイ３３４（第１の排出トレイ）と不良記録媒体排出トレイ３３５（第２の排出トレイ）とＮＧスタンプ押下部３３６から構成される。記録媒体排出部３３３と記録媒体排出制御部３３２は電気信号で接続され、データや命令や応答を伝送している。検品実行ユニット３０３の外部Ｉ／Ｆ３２５や画像処理装置５０１の外部Ｉ／Ｆ３０１から伝送されたデータや命令や応答に応じて、記録媒体排出制御部３３２は記録媒体を適切に排出するため記録媒体排出部３３３の機構の制御を行う。
【００５６】
記録媒体排出制御部３３２は、必要に応じて記録媒体を正常記録媒体排出トレイ３３４又は不良記録媒体排出トレイ３３５どちらに排出するかを選択したり、ＮＧスタンプ押下部３３６にて記録媒体にＮＧスタンプを押下するといった制御を実行する。もし検品の結果が不良と判定された時は、ＦＡＸ受信した画像データを消去せず、比較結果に欠落が無いと判定されるまでＦＡＸ受信した画像データをＨＤＤ３０６の記憶手段に保持し再印刷できるようにする。
【００５７】
図３は、図１の画像処理システムにおけるＦＡＸ受信時の動作処理を示すフローチャートである。本処理は、ＣＰＵ３０２がＲＯＭ３０４またはＨＤＤ３０６から読み出した制御プログラムを実行することにより実現されるものである。
【００５８】
画像処理装置５０１は、電源がＯＮされて初期設定を行う状態にあるものとする。
【００５９】
ステップＳ１０２では、画像処理装置５０１のＣＰＵ３０２は、ＦＡＸ受信時の印刷設定をユーザー（あるいはサービスマン）からＵＩ３１４を介して受け付ける。具体的には、プリンタ部３１６内のトナー残量検知部３２１がトナー残量が少ないことを検知したときにＦＡＸ受信した画像の印刷を停止させるか続行させるかの選択をＵＩ３１４にて受け付ける。例えば、ＵＩ３１４に図５（ａ）に示すような画面５０を表示し、ユーザー（あるいはサービスマン）からの選択を受け付ける。「はい」が選択された場合、ＵＩ３１４に図５（ｂ）に示すような画面５１を表示し、排出トレイの選択を受け付ける。選択された排出トレイがＦＡＸ受信時の印刷の標準設定された排出トレイとなり、選択された設定がＨＤＤ３０６等に保存される。一方、画面５０で「いいえ」が選択された場合、ＵＩ３１４に図５（ｃ）に示すような画面５２を表示してユーザーに注意を促す。
【００６０】
また、検品結果からＦＡＸ受信した画像の印刷が正常印刷と判断された場合と不良印刷と判断された場合とで排出トレイを変更するように設定することもできる。例えば、ＵＩ３１４に図６（ａ）に示すような画面６００を表示し、排出トレイの選択を受け付ける。選択された排出トレイが、検品装置５０５による検品結果から正常印刷と判断された記録媒体が排出される排出トレイとなる。一方、ＵＩ３１４に図６（ｂ）に示すような画面６０１を表示し、排出トレイの選択を受け付ける。選択された排出トレイが、検品装置５０５による検品結果から不良印刷と判断された記録媒体が排出される排出トレイとなる。なお、画面６００と画面６０１で選択される排出トレイの重複選択は制限される。
【００６１】
また、画像品質検査の結果からＦＡＸ受信印刷が不良な場合には、印刷が不良であることを示すＮＧスタンプを押下するように設定することもできる。例えば、ＵＩ３１４に図６（ｃ）に示すような画面６０２を表示し、「はい」か「いいえ」の選択を受け付ける。
【００６２】
ＵＩ３１４で受け付けた設定は、設定情報としてＨＤＤ３０６（またはＲＯＭ３０４）に保存される。また、上記設定は任意に変更が可能である。ＣＰＵ３０２は、画像処理装置５０１の起動時にＨＤＤ３０６等から設定情報を読み出して、設定通りに動作するよう制御を行う。
【００６３】
ステップＳ１０３では、画像処理装置５０１のＣＰＵ３０２はＦＡＸ受信処理を行い、ステップＳ１０４へ移行する。ステップＳ１０３のＦＡＸ受信処理の詳細については上述したので、その説明を省略する。ＦＡＸ受信した画像データはＲＡＭ３０５またはＨＤＤ３０６に保存される。
【００６４】
ステップＳ１０４では、画像処理装置５０１のＣＰＵ３０２は、ＦＡＸ受信データの画像処理を行い、ステップＳ１０５へ移行する。具体的には、ＣＰＵ３０２は、ＲＡＭ３０５またはＨＤＤ３０６に保存されたＭＨ，ＭＲ，ＭＭＲ，ＪＢＩＧ等の符号化されたデジタルの画像データを生の画像データに復号化し、生の画像データとしてＲＡＭ３０５またはＨＤＤ３０６に保存する。そして、ＣＰＵ３０２は、保存された生の画像データを画像処理部３２０でプリンタ解像度（例えば６００×６００ｄｐｉ）に合わせて解像度変換し、印刷画像としてＲＡＭ３０５またはＨＤＤ３０６に保存して、ステップＳ１０５へ移行する。
【００６５】
ステップＳ１０５では、画像処理装置５０１のＣＰＵ３０２は、トナー残量を検知して判定する処理（「トナー残検」とも呼ぶ）を行う。具体的には、ＣＰＵ３０２は、プリンタＩ／Ｆ３１５を経由してプリンタ部３１６内のトナー残量検知部３２１に対してトナー残量を問い合わせる。問い合わせの結果、トナー残量が閾値以下（ＬＯＷ）の場合、ステップＳ１１０へ移行する。一方、トナー残量が閾値を超えている（ＬＯＷでない）場合、ステップＳ１１６へ移行する。
【００６６】
ステップＳ１１６では、トナー残量が十分であるので、画像処理装置５０１のＣＰＵ３０２は、プリンタ部３１６にＦＡＸ受信画像の印刷処理を実行させる。ＣＰＵ３０２は、ＲＡＭ３０５またはＨＤＤ３０６に保存されている画像データをプリンタＩ／Ｆ３１５を介してプリンタ部３１６に送って記録媒体に印刷し、ステップＳ１１７へ移行する。
【００６７】
ステップＳ１１７では、画像処理装置５０１のＣＰＵ３０２は、検品装置５０５に検品せずに記録媒体を搬送するよう指示する。検品装置５０５の検品制御部３２６は、記録媒体搬送部３２２を駆動してプリンタ部３１６から搬送されてきた記録媒体を排出装置５０６に搬送する。そして、ＣＰＵ３０２は、ステップＳ１０２で設定された設定情報に基づいて排出装置５０６に指示する。排出装置５０６の記録媒体排出制御部３３２は、設定情報に応じて搬送路（不図示）を駆動制御し、ＦＡＸ受信画像が印刷された記録媒体を正常記録媒体排出トレイ３３４または不良記録媒体排出トレイ３３５に排出させて、ステップＳ１０９へ移行する。
【００６８】
ステップＳ１１０では、画像処理装置５０１のＣＰＵ３０２は、ＲＯＭ３０４またはＨＤＤ３０６に保存されている設定情報を参照し、ＦＡＸ受信した画像の印刷を停止させるか続行させるかを判定する。ステップＳ１０２でトナー残量が少ないときにＦＡＸ受信印刷を停止するよう設定されているときは、ステップＳ１１１へ移行する。一方、ステップＳ１０２でトナー残量が少ないときにＦＡＸ受信印刷を続行するよう設定されているときは、ステップＳ１０６へ移行する。
【００６９】
ステップＳ１１１では、トナー残量が少なく、印刷画像のかすれや欠落の恐れがあるため、画像処理装置５０１のＣＰＵ３０２は、ＵＩ３１４にトナー残量が少ないこと及びトナー交換が必要なことを示す警告をユーザーに通知して、ステップＳ１０９へ移行する。
【００７０】
ステップＳ１０６では、トナー残量が少ない状態で印刷すると印刷画像のかすれや欠落の恐れがあるため、画像処理装置５０１のＣＰＵ３０２は上述した検品を行う。具体的には、ＣＰＵ３０２は、画像品質検査用のリファレンス画像を生成して検品装置５０５へ転送後、ＦＡＸ受信画像を印刷して検品装置５０５でスキャンを行う。ＣＰＵ３０２は、外部Ｉ／Ｆ３０１を経由して検品装置５０５に検品実行を指示する。ＣＰＵ３０２は、検品用のリファレンス画像データとしてＲＡＭ３０５またはＨＤＤ３０６に保存された印刷画像データを利用する。必要に応じて印刷画像データをリファレンス画像に変換する画像処理を画像処理部３２０で実行して変換する。そして、ＣＰＵ３０２は、検品用のリファレンス画像データを外部Ｉ／Ｆ３０１を介して検品装置５０５に送信する。検品制御部３２６は、検品用のリファレンス画像データをリファレンス画像保存部３３１に保存する。ＣＰＵ３０２は、ＲＡＭ３０５またはＨＤＤ３０６に保存した印刷画像データをプリンタＩ／Ｆ３１５を介してプリンタ部３１６に送り、記録媒体に印刷させる。
【００７１】
検品装置５０５の検品制御部３２６は、プリンタ部３１６から搬送されてきた記録媒体を、記録媒体搬送部３２２を駆動してスキャナ部Ａ３２３に搬送し、プリンタ解像度と同じ６００ｄｐｉで画像読取りを行わせる。スキャナ部Ａ３２３で読み取られた画像は、スキャナＩ／Ｆ３２７にてＡ／Ｄ変換、シェーディング補正、その他必要な画像処理等が行われた後、スキャン画像保存部３３０に伝送され、記録媒体から読み取った画像データとして保存される。比較判定制御部３２９は、スキャン画像保存部３３０に保存されている画像データとリファレンス画像保存部３３１に保存されているリファレンス画像データとを比較し、記録媒体にかすれや欠落等の不良が有るか無いかを判定する。そして、ステップＳ１０７へ移行する。
【００７２】
ステップＳ１０７では、画像処理装置５０１のＣＰＵ３０２は、検品結果が正常印刷か否かを判定する。検品結果が正常印刷であれば、ステップＳ１０８へ移行する。一方、検品結果が不良印刷であれば、ステップＳ１１２へ移行する。
【００７３】
ステップＳ１０８では、画像処理装置５０１のＣＰＵ３０２は、ステップＳ１０２で設定された正常記録媒体排出トレイ３３４へ記録媒体を排出して、ステップＳ１０９へ移行する。ＣＰＵ３０２は、ＨＤＤ３０６等に保存された設定情報に基づいて排出装置５０６に指示すると、排出装置５０６の記録媒体排出制御部３３２が設定情報に応じて搬送路（不図示）を駆動制御して記録媒体を正常記録媒体排出トレイ３３４に排出させる。なお、トナー残量が少ないときでも印刷画像の品質が正常であると判定されたことから、ＨＤＤ３０６等からＦＡＸ受信データを削除して記憶領域を空けるようにする。
【００７４】
ステップＳ１１２では、画像処理装置５０１のＣＰＵ３０２は、ステップＳ１０２で設定された不良記録媒体排出トレイ３３５へ記録媒体を排出して、ステップＳ１０９へ移行する。ＣＰＵ３０２は、ＨＤＤ３０６等に保存された設定情報に基づいて排出装置５０６に指示すると、排出装置５０６の記録媒体排出制御部３３２が設定情報に応じて搬送路を駆動制御して記録媒体を不良記録媒体排出トレイ３３５に排出させる。なお、ステップＳ１１２では、検品結果からＦＡＸ受信印刷が不良なときにＮＧスタンプを押下する設定がなされていた場合、ＣＰＵ３０２は、設定情報に応じて排出装置５０６に指示し、ＮＧスタンプ押下部３３６を制御して記録媒体にＮＧスタンプを押下させる。なお、再印刷できるように、ＨＤＤ３０６等に保存されているＦＡＸ受信データを消去しないこととする。
【００７５】
ステップＳ１０９では、画像処理装置５０１のＣＰＵ３０２は、上記ＦＡＸ受信印刷の結果をログとしてＨＤＤ３０６に保存し、検品結果をＵＩ３１４上に表示してユーザーに通知し、本処理を終了してスタンバイ状態に戻る。ＵＩ３１４に表示される検品結果には、例えば、画像品質検査で不良と判定された記録媒体が不良記録媒体排出トレイ３３５に排出され、画像不良と判別された記録媒体に印刷された画像のデータをＨＤＤ３０６等に保存している旨が含まれる。
【００７６】
上記第１の実施形態によれば、トナー残量検知部３２１により検知されたトナー残量が閾値以下の場合に、ファクシミリ受信した画像情報の印刷を停止するか継続するかの設定をＵＩ３１４で受け付ける。そして、トナー残量が閾値以下のときは、プリンタ部３１６による印刷が実行される前に、予めＵＩ３１４にて設定された設定内容に応じて画像情報の印刷の停止または継続を判定する。そして、検品装置５０５は、画像情報の印刷の継続と判定された場合、プリンタ部３１６により画像情報が印刷された記録媒体の画像品質検査を行う。そして、排出装置５０６が、この画像品質検査により正常印刷と判断された記録媒体と不良印刷と判断された記録媒体とに分けて所定の排出トレイに排出する。これにより、トナー残量が少ない場合でも残トナーを使い切るための印刷の続行が可能となる一方、トナー残量が十分であることが検知できるまでＦＡＸ受信印刷を一時停止させたいというユーザーの要望にも応えることができる。
【００７７】
また、残トナーを使い切るための印刷が続行された結果、トナー不足等で印刷画像にかすれや欠落が発生しても、不良画像と判断された記録媒体が、不良記録媒体の排出されるトレイに排出される。これにより、ＦＡＸ受信した画像データが正しくても印刷画像が正しく無いことをユーザーが容易に認識することができる。
【００７８】
［第２の実施形態］
本発明の第２の実施の形態では、図１、図２に示す構成が上記第１の実施の形態と同じであり、第１の実施の形態と同様の部分については、同一の符号を用いてその説明を省略する。以下に、上記第１の実施の形態と異なる点のみを説明する。
【００７９】
第２の実施の形態では、ファクシミリプロトコルで規定されたＮＳＳ、ＮＳＦを利用して、送信側から受信側へ検品の実施を指示するケースを想定している（※ＮＳＳ：Ｎｏｎ−Ｓｔａｎｄａｒｄ  ｆａｃｉｌｉｔｉｅｓ  Ｓｅｔｕｐ，ＮＳＦ：Ｎｏｎ−Ｓｔａｎｄａｒｄ  Ｆａｃｉｌｉｔｉｅｓ）。
【００８０】
ＮＳＳやＮＳＦは、ＩＴＵ−Ｔ勧告Ｔ．３０でメーカー独自のコマンドや機能のために規定されたビットであり、送信と受信側のＦＡＸが双方ともビットの定義をあらかじめ決めておいた場合のみ対応が可能である。
【００８１】
図４は、第２の実施の形態における画像処理システムにおけるＦＡＸ受信時の動作処理を示すフローチャートである。本処理は、ＣＰＵ３０２がＲＯＭ３０４またはＨＤＤ３０６から読み出した制御プログラムを実行することにより実現されるものである。
【００８２】
画像処理装置５０１は、電源がＯＮされて初期設定を行う状態にあるものとする。
【００８３】
ステップＳ２０２では、画像処理装置５０１のＣＰＵ３０２は、ＦＡＸ受信時の印刷に関する初期設定をユーザー（あるいはサービスマン）からＵＩ３１４を介して受け付ける。このステップ２０２では、図３のステップＳ１０２と同じように、ＵＩ３１４に画面５０等の表示を行って、設定を受け付ける。さらに、ステップＳ２０２では、ユーザー等からＵＩ３１４を介してＮＳＳ，ＮＳＦを利用するか否かの設定を受け付けることができる。例えば、受信機がＮＳＦで画像品質検査機能有りを宣言し、送信機がＮＳＳで受信機に対して画像受信と画像品質検査実施と画像品質検査の結果の返信を要求するよう設定することが可能である。ＵＩ３１４で受け付けた設定は、設定情報としてＨＤＤ３０６（またはＲＯＭ３０４）に保存される。また、上記設定は任意に変更が可能である。
【００８４】
ステップＳ２０３では、画像処理装置５０１のＣＰＵ３０２はＦＡＸ受信処理を行い、ステップＳ２０４へ移行する。ステップＳ２０３のＦＡＸ受信処理の詳細は図３のステップＳ１０３と同様に、上述したので、その説明は省略する。さらに、ステップＳ２０３では、画像処理装置５０１のＣＰＵ３０２は、受信機として動作するときはＮＳＦで検品機能有りを宣言する。宣言された独自のＮＳＦを理解できる送信側のＦＡＸ装置５０４が検品を要求する場合、ＮＳＳで受信と検品を要求する。送信側のＦＡＸ装置５０４が検品結果の通知を要求する場合、ＮＳＳで検品結果の通知も同時に要求し、その通知先をＥｍａｉｌのアドレスや送信側のＦＡＸ装置５０４宛てにＦＡＸ送信を返信することをＮＳＳで要求する。送信側のＦＡＸ番号は、ＴＳＩ（Ｔｒａｎｓｍｉｔｔｉｎｇ  Ｓｕｂｓｃｒｉｂｅｒ  Ｉｄｅｎｔｉｆｉｃａｔｉｏｎ）あるいはＮＳＳ内で通知する。通知先をＥｍａｉｌのアドレスとする場合、ＮＳＳ内で通知する。なお、ＮＳＳで受信と検品実施のみを要求するよう設定してもよい。その場合は、送信側のユーザーが受信側のユーザーへ電話等の別の連絡手段で検品結果を確認する。
【００８５】
ステップＳ２０４では、画像処理装置５０１のＣＰＵ３０２は、ＦＡＸ受信データの画像処理を行い、ステップＳ２１４へ移行する。なお、ステップＳ２０４は、図３のステップＳ１０４と同じであるため、その説明を省略する。
【００８６】
ステップＳ２１４では、画像処理装置５０１のＣＰＵ３０２は、送信側からファクシミリプロトコルのＮＳＳによる検品指示があったかを判定する。ＮＳＳによる検品指示が有った場合はステップＳ２０５に移行する。一方、ＮＳＳによる検品指示が無かった場合にはステップＳ２１５に移行する。
【００８７】
ステップＳ２１５では、画像処理装置５０１のＣＰＵ３０２は、図３のステップＳ１０５と同様に、トナー残検を行う。トナー残量が閾値以下（ＬＯＷ）の場合、ステップＳ２１０へ移行する。一方、トナー残量が閾値を超えている（ＬＯＷでない）場合、ステップＳ２１６へ移行する。
【００８８】
ステップＳ２１６では、トナー残量が十分であるので、画像処理装置５０１のＣＰＵ３０２は、プリンタ部３１６にＦＡＸ受信画像の印刷処理を実行させて、ステップＳ２１７へ移行する。ステップＳ２１６は、図３のステップＳ１１６と同じであるため、その説明を省略する。
【００８９】
ステップＳ２１７では、画像処理装置５０１のＣＰＵ３０２は、設定された記録媒体排出トレイへ記録媒体を排出させて、ステップＳ２１８へ移行する。ステップＳ２１７は、図３のステップＳ１１７と同じであるため、その説明を省略する。
【００９０】
ステップＳ２０５では、画像処理装置５０１のＣＰＵ３０２は、図３のステップＳ１０５と同様に、トナー残検を行う。トナー残量が閾値以下（ＬＯＷ）の場合、ステップＳ２１０へ移行する。一方、トナー残量が閾値を超えている（ＬＯＷでない）場合、ステップＳ２０６へ移行する。
【００９１】
ステップＳ２１０では、画像処理装置５０１のＣＰＵ３０２は、ＲＯＭ３０４またはＨＤＤ３０６に保存されている設定情報を参照し、ＦＡＸ受信した画像の印刷を停止させるか続行させるかを判定する。ステップＳ２０２でトナー残量が少ないときにＦＡＸ受信印刷を停止するよう設定されているときは、ステップＳ２１１へ移行する。一方、ステップＳ２０２でトナー残量が少ないときにＦＡＸ受信印刷を続行するよう設定されているときは、ステップＳ２０６へ移行する。
【００９２】
ステップＳ２１１では、トナー残量が少なく、印刷のかすれや欠落の恐れがあるため、画像処理装置５０１のＣＰＵ３０２は、ＵＩ３１４にトナー残量が少ないこと及びトナー交換が必要なことを示す警告をユーザーに通知して、ステップＳ２１８へ移行する。
【００９３】
ステップＳ２０６では、トナー残量が少ない状態で印刷すると印刷画像のかすれや欠落の恐れがあり、また送信側から検品指示があることから、画像処理装置５０１のＣＰＵ３０２は、図３のステップＳ１０６と同様に検品を行い、ステップＳ２０７へ移行する。
【００９４】
ステップＳ２０７では、画像処理装置５０１のＣＰＵ３０２は、検品結果が正常印刷か否かを判定する。検品結果が正常印刷であれば、ステップＳ２０８へ移行する。一方、検品結果が不良印刷であれば、ステップＳ２１２へ移行する。
【００９５】
ステップＳ２０８では、画像処理装置５０１のＣＰＵ３０２は、ステップＳ２０２で設定された正常記録媒体排出トレイへ記録媒体を排出して、ステップＳ２１８へ移行する。ステップＳ２０８は、図３のステップＳ１０８と同じであるため、その説明を省略する。
【００９６】
ステップＳ２１２では、画像処理装置５０１のＣＰＵ３０２は、ステップＳ２０２で設定された不良記録媒体排出トレイ３３５へ記録媒体を排出して、ステップＳ２１８へ移行する。ステップＳ２１２は、図３のステップＳ１１２と同じであるため、その説明を省略する。
【００９７】
ステップＳ２１８では、画像処理装置５０１のＣＰＵ３０２は、上記ＦＡＸ受信印刷の結果をログとしてＨＤＤ３０６に保存し、検品結果をＵＩ３１４上に表示してユーザーに通知し、ステップＳ２１９へ移行する。
【００９８】
ステップＳ２１９では、画像処理装置５０１のＣＰＵ３０２は、送信側からファクシミリプロトコルのＮＳＳによる検品結果の通知要求があったか否かを判定する。ＮＳＳによる検品結果の通知要求があった場合、ステップＳ２２０に移行する。一方、ＮＳＳによる検品結果の通知要求が無かった場合、本処理を終了してスタンバイ状態に戻る。
【００９９】
ステップＳ２２０では、画像処理装置５０１のＣＰＵ３０２は、検品結果を指定された方法で送信側へ通知して、本処理を終了してスタンバイ状態に戻る。
【０１００】
送信側のＦＡＸ装置５０４が検品結果の通知をＮＳＳで要求していた場合、指定された通知方法がＥｍａｉｌであれば、検品結果をネットワークＩ／Ｆ３１９から当該Ｅｍａｉｌアドレス宛てに送信する。一方、指定された通知方法がＦＡＸであれば、検品結果をＦＡＸ装置５０４宛てにＦＡＸで送信する。通知する検品結果の内容として、ＦＡＸ受信画像データにおける正常画像のページと不良画像のページ、印刷不能理由（記録媒体無しやトナー残量が極小等）、プリンタジャム等が挙げられる。なお、通知する検品結果の内容に、例えばプリンタジャム（紙つまり）を復旧した後の再印刷が正常であった旨や、受信日時、検品日時、検品でスキャンした画像を添付してもよい。
【０１０１】
上記第２の実施形態によれば、受信側からファクシミリプロトコルのＮＳＦで画像品質検査機能有りを宣言する。一方、送信側で画像品質検査機能有りを検出すると、当該送信側からファクシミリプロトコルのＮＳＳで画像情報の受信と画像品質検査の実施と画像品質検査の結果の返信と返信宛先と返信方法が指示される。この場合、印刷が実行される前に、記録材料の残量が十分であることを検知したときでも、画像品質検査が行われ、その結果が送信側へＮＳＳで指定された返信方法にて返信される。これにより、受信側に検品機能が搭載されていた場合、ＦＡＸ受信した画像情報と印刷画像の検品結果を送信側が知ることができる。
【０１０２】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１０３】
３０２  ＣＰＵ
３１６  プリンタ部
３２１  トナー残量検知部
３２２  記録媒体搬送部
３２６  検品制御部
３２９  比較判定制御部
５０１  画像処理装置
５０４  ＦＡＸ装置
５０５  検品装置
５０６  排出装置
【図１】
2015216417.tif 000003
【図２】
2015216417.tif 000004
【図３】
2015216417.tif 000005
【図４】
2015216417.tif 000006
【図５】
2015216417.tif 000007
【図６】
2015216417.tif 000008